(57)【要約】      （修正有）【課題】回折素子で回折した±１次光の両方を受光して再生信号として利用することができ、かつ小形化することのできる半導体レーザ装置、これを備える光ピックアップおよび情報処理装置を提供する。【解決手段】半導体レーザ装置１０は、光源１４と、回折素子１６と、受光素子１７と、反射鏡１８とを含んで構成される。回折素子１６は、光源１４から発せられ、記録媒体の記録面で反射された光を回折させる。受光素子１７は、回折素子１６で回折した光を受光する。反射鏡１８には、反射面１９が形成され、反射面１９は、回折素子１６で回折した光のうち一部を反射する。反射鏡１８は、反射面１９で反射した光を受光素子１７に入射させる。回折素子１６で回折した光のうち他の一部は、受光素子１７に直接入射する。【選択図】図１
2010134976.tif 000002
【特許請求の範囲】
【請求項１】
光源と、
前記光源から発せられ、記録媒体の記録面で反射された光を回折させる回折素子と、
前記回折素子で回折した光を受光する受光素子と、
前記回折素子で回折した光のうち一部を反射する反射面が形成され、前記反射面で反射した光を前記受光素子に入射させる反射鏡とを含み、
前記回折素子で回折した光のうち他の一部は、前記受光素子に直接入射することを特徴とする半導体レーザ装置。
【請求項２】
前記光源および前記受光素子を収容し、前記光源および前記受光素子に対して相対位置が固定され、かつ前記回折素子を支持する筐体をさらに含み、
前記反射面は、前記筐体の内壁の一部に形成されることを特徴とする請求項１に記載の半導体レーザ装置。
【請求項３】
前記反射鏡の反射面と、前記光源から発せられる光の出射方向とは、１度以上１０度以下の角度を成すことを特徴とする請求項１または２に記載の半導体レーザ装置。
【請求項４】
前記反射鏡の反射面は、薄膜が積層されることによって形成されることを特徴とする請求項１〜３のいずれか１つに記載の半導体レーザ装置。
【請求項５】
前記反射鏡の反射面は、前記光源から発せられる光の波長と同じ波長の光に対して、他の波長の光に対する反射率以上の反射率を有することを特徴とする請求項４に記載の半導体レーザ装置。
【請求項６】
前記反射面が反射した光と、前記回折素子で回折して受光素子に直接入射した光とは、ともに再生信号の算出に用いられることを特徴とする請求項１〜５のいずれか１つに記載の半導体レーザ装置。
【請求項７】
前記受光素子は、１つ設けられることを特徴とする請求項１〜６のいずれか１つに記載の半導体レーザ装置。
【請求項８】
請求項１〜７のいずれか１つに記載の半導体レーザ装置を備えることを特徴とする光ピックアップ装置。
【請求項９】
請求項１〜７のいずれか１つに記載の半導体レーザ装置を備えることを特徴とする情報処理装置。
【発明の詳細な説明】
【技術分野】
【０００１】
本発明は、記録媒体に記録される情報を読取るための光を出射し、記録媒体の記録面で反射された光を受光する半導体レーザ装置、これを備える光ピックアップ装置および情報処理装置に関する。
【背景技術】
【０００２】
図６は、第１の従来技術に係る半導体レーザ装置１の断面図である。第１の従来技術に係る半導体レーザ装置１として、回折素子２で回折した光の一部のみを受光素子３で受光し、再生信号として利用する装置が知られる。
【０００３】
図７は、第２の従来技術に係る光ピックアップ装置である光学デバイス４の構成を表す図である。第２の従来技術に係る光ピックアップ装置として、受光素子５に入射する光を、複数の反射層６における反射によって導く光学デバイス４が知られる。この光学デバイス４では、受光素子５に入射する光は、反射層６によって複数回反射されて、受光素子５に導かれる。
【０００４】
【特許文献１】特開平９−１２８７９１号公報
【発明の開示】
【発明が解決しようとする課題】
【０００５】
第１の従来技術では、回折素子２で回折した±１次光の両方を受光して再生信号として利用することができないという問題点がある。また第２の従来技術では、反射層６による反射を複数回繰返す必要があり、受光素子５まで導く光路を形成するために、小形化できないという問題点がある。
【０００６】
本発明の目的は、回折素子で回折した±１次光の両方を受光して再生信号として利用することができ、かつ小形化することのできる半導体レーザ装置、これを備える光ピックアップおよび情報処理装置を提供することである。
【課題を解決するための手段】
【０００７】
本発明に従えば、半導体レーザ装置は、光源と、回折素子と、受光素子と、反射鏡とを含んで構成される。回折素子は、光源から発せられ、記録媒体の記録面で反射された光を回折させる。受光素子は、回折素子で回折した光を受光する。反射鏡には、反射面が形成され、反射面は、回折素子で回折した光のうち一部を反射する。反射鏡は、反射面で反射した光を受光素子に入射させる。回折素子で回折した光のうち他の一部は、受光素子に直接入射する。
【０００８】
また本発明に従えば、光ピックアップ装置は、前記半導体レーザ装置を備える。
また本発明に従えば、情報処理装置は、前記半導体レーザ装置を備える。
【発明の効果】
【０００９】
本発明によれば、反射鏡には、反射面が形成され、反射面は、回折素子で回折した光のうち一部を反射する。反射鏡は、反射面で反射した光を受光素子に入射させる。回折素子で回折した光のうち他の一部は、受光素子に直接入射する。回折素子で回折した光は、＋１次光と−１次光とに分割される。
【００１０】
回折素子で回折した光のうち、一部は反射鏡の反射面で反射されるので、＋１次光および−１次光のいずれか一方を反射鏡の反射面で反射することができる。回折素子で回折した光のうち、反射面で反射した光も、また他の一部の光も、受光素子に入射するので、回折素子で回折した±１次光の両方を受光素子で受光することができる。したがって、±１次光の両方を情報の読取りに利用することができる。これによって、±１次光のいずれか一方のみを受光素子で受光する場合に比べて、信号対雑音比を向上することができる。
【００１１】
また、反射鏡は、反射面で反射した光を受光素子に入射させるので、回折素子で回折した光は、直接かまたは反射面による１度の反射によって受光素子に入射する。したがって、受光素子に入射させる光を複数回の反射によって受光素子に導く場合に比べて、半導体レーザ装置を小形化することができる。
【００１２】
また本発明によれば、光ピックアップ装置は、前記半導体レーザ装置を備える。これによって、回折素子で回折した±１次光の両方を、再生信号の算出に利用することができる。したがって、＋１次光および−１次光のいずれか一方のみを受光素子で受光する場合に比べて、信号対雑音比を向上することができる。
【００１３】
また本発明によれば、情報処理装置は、前記半導体レーザ装置を備える。これによって、回折素子で回折した±１次光の両方を情報の読取りに利用することのできる情報処理装置を実現することができる。したがって、±１次光のいずれか一方のみを情報の読取りに利用する場合に比べて、信号対雑音比の高い情報処理装置とすることができる。これによって、高い精度で記録媒体の情報を読取ることができる。
【発明を実施するための最良の形態】
【００１４】
以下、図面を参照しながら本発明を実施するための形態について説明する。以下に示す実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。以下の説明は、半導体レーザ装置１０、光ピックアップ装置１１および情報処理装置についての説明をも含む。
【００１５】
図１は、本発明の一実施形態に係る半導体レーザ装置１０の断面図である。半導体レーザ装置１０は、記録媒体１２に記録される情報を読取るための光を出射し、記録媒体１２の記録面１３で反射された光を受光する装置である。光ピックアップ装置１１は、半導体レーザ装置１０を備え、光を用いて記録媒体１２から信号を取り出す装置である。情報処理装置は、半導体レーザ装置１０を備え、記録媒体１２に記録される信号に対して、少なくとも読取りを行い、情報の再生を行う装置であり、さらに情報の書き込み、消去、書換えのうちのいずれか１つ以上を行う構成であってもよい。具体的には、本実施形態に係る記録媒体１２は、ブルーレイ（Blu-ray）ディスクであり、情報処理装置は、ブルーレイディスクの再生装置である。
【００１６】
半導体レーザ装置１０は、光源１４と、回折素子１６と、受光素子１７と、反射鏡１８とを含んで構成される。回折素子１６は、光源１４から発せられ、記録媒体１２の記録面１３で反射された光を回折させる。受光素子１７は、回折素子１６で回折した光を受光する。反射鏡１８には、反射面１９が形成され、反射面１９は、回折素子１６で回折した光のうち一部を反射する。反射鏡１８は、反射面１９で反射した光を受光素子１７に入射させる。回折素子１６で回折した光のうち他の一部は、受光素子１７に直接入射する。
【００１７】
半導体レーザ装置１０は、筐体をさらに含む。筐体は、光源１４および受光素子１７を収容し、光源１４および受光素子１７に対して相対位置が固定され、かつ回折素子１６を支持する。反射面１９は、筐体の内壁の一部に形成される。
【００１８】
筐体は、光源１４である半導体レーザ素子と、半導体レーザ素子が搭載されるサブマウント２２と、半導体レーザ素子からの熱を拡散するためのヒートシンク２４と、レーザ光モニタ用受光素子２６と、受光素子１７とを収容し、筐体はステム２７に固定される。ステム２７には、半導体レーザ素子、サブマウント２２、ヒートシンク２４およびレーザ光モニタ用受光素子２６が取り付けられており、これらをステム２７は筐体とともに外囲する。ステム２７は、大略的に平板状の部材で形成されており、ステム２７の厚み方向一方に半導体レーザ素子が配置される。半導体レーザ素子は、ステム２７の厚み方向一方に向けて、記録媒体１２に記録された情報を読取るための光を出射する。記録媒体１２からの情報の読取りを行うための光の出射の向きは、ステム２７の厚み方向一方に一致し、これを「出射方向一方」Ｚ１と称する。また出射方向Ｚ、すなわちステム２７の厚み方向のうち、出射方向一方Ｚ１と逆の向きを「出射方向他方」Ｚ２と称する。
【００１９】
半導体レーザ素子は、出射方向他方Ｚ２に向けても、光を発する。半導体レーザ素子よりも出射方向他方Ｚ２には、レーザ光モニタ用受光素子２６が配置される。レーザ光モニタ用受光素子２６は、半導体レーザ素子の出力を制御するために半導体レーザ素子から出射方向他方Ｚ２に発せられる光の少なくとも一部を受光して、受光した光の光強度に応じた信号を出力する。レーザ光モニタ用受光素子２６から出力された信号は、図示外の制御部に入力され、制御部は、レーザ光モニタ用受光素子２６からの信号に応じて半導体レーザ素子に印加される電圧の大きさを制御する。
【００２０】
これによって、半導体レーザ素子から発せられる光の光強度は、予め定められる大きさの光強度に調整される。本実施形態において半導体レーザ素子は、ブルーレイディスクに記載された情報の読取りに利用される波長、すなわち４０５ｎｍ付近の波長の光を出射する。
【００２１】
ステム２７よりも出射方向他方Ｚ２には、複数のリード２８が突出する。複数のリード２８は、ステム２７とは絶縁されており、半導体レーザ素子に電力供給を行うための電力供給路と、レーザ光モニタ用受光素子２６に電力供給を行うための電力供給路とを構成しており、またレーザ光モニタ用受光素子２６から出力される信号を伝送する信号伝送路と、受光素子１７から出力される信号を伝送する信号伝送路とをも構成する。
【００２２】
受光素子１７は、ヒートシンク２４に搭載されており、半導体レーザ素子とは並んで配置される。ヒートシンク２４の出射方向一方Ｚ１に臨む表面部は、出射方向Ｚに垂直な一平面状の平面が形成される。半導体レーザ素子および受光素子１７は、ヒートシンク２４の出射方向一方Ｚ１に臨む表面部に搭載される。また半導体レーザ素子は、出射方向Ｚに見て、ステム２７のほぼ中央に配置される。出射方向Ｚに垂直な方向のうち、半導体レーザ素子から受光素子１７に向かう向きを「垂直方向一方」Ｘ１と称し、垂直方向一方Ｘ１とは逆の向きを「垂直方向他方」Ｘ２と称する。また出射方向Ｚと垂直方向Ｘとに垂直に直交する方向を「直交方向」Ｙと称する。
【００２３】
筐体内には、半導体レーザ素子、サブマウント２２、ヒートシンク２４およびレーザ光モニタ用受光素子２６を内包するステム側空間３２が形成され、ステム側空間３２よりも出射方向一方Ｚ１に回折素子側空間３３が形成される。出射方向Ｚに見て、ステム側空間３２は大きく形成され、回折素子側空間３３は小さく形成される。すなわち、ステム側空間３２の垂直方向Ｘの寸法は、回折素子側空間３３の垂直方向Ｘの寸法よりも大きく設定され、ステム側空間３２の直交方向Ｙの寸法は、回折素子側空間３３の直交方向Ｙの寸法よりも大きく設定される。
【００２４】
筐体のうち、ステム側空間３２を規定する部分を「キャップ」３４と称すると、回折素子側空間３３を規定する部分は、キャップ３４から出射方向一方Ｚ１に突出して形成される。回折素子１６は、筐体のうち、回折素子側空間３３を規定する部分に固定され、支持されている。筐体のうち、回折素子側空間３３を規定する部分を「回折素子支持部」３６と称する。回折素子支持部３６は、キャップ３４を出射方向Ｚに見て、ほぼ中央に形成される。
【００２５】
回折素子側空間３３の出射方向他方Ｚ２は、部材によって規定されておらず、ステム側空間３２のうち回折素子側空間３３に隣接する部分の出射方向一方Ｚ１は、部材によって規定されていない。したがって、回折素子側空間３３とステム側とは、連続している。回折素子側空間３３の出射方向一方Ｚ１の少なくとも一部は、回折素子１６によって規定される。回折素子１６は、平板状の形状に形成され、出射方向Ｚに垂直に設けられる。換言すれば、回折素子１６は、その厚み方向を出射方向Ｚに一致させて配置される。回折素子１６は、その周囲が回折素子支持部３６に接続され、これによって回折素子支持部３６に固定および支持される。回折素子支持部３６のうちの一部は反射鏡１８として形成され、反射鏡１８として形成される部分の回折素子側空間３３に臨む表面には、反射面１９が形成される。
【００２６】
筐体およびステム２７を出射方向Ｚに見ると、半導体レーザ素子および回折素子１６は、筐体およびステム２７の中央部に配置される。回折素子１６は、半導体レーザ素子の出射方向一方Ｚ１に配置され、半導体レーザ素子から出射方向一方Ｚ１に発せられた光は、回折素子１６に到達する。このとき、半導体レーザ素子から出射方向一方Ｚ１に発せられた光は、筐体に照射されることはなく、キャップ３４および回折素子支持部３６のいずれにも遮られることなく回折素子１６に到達する。光源１４である半導体レーザ素子から発せられる光は、進行方向に向かうにつれて、光線束のビーム径がわずかに広がる発散光である。回折素子１６に出射方向他方Ｚ２から到達した光は、回折素子１６を透過し、記録媒体１２に向けて進行する。
【００２７】
図２は、本発明の一実施形態に係る光ピックアップ装置１１の構成を表す図である。光ピックアップ装置１１は、半導体レーザ装置１０と、コリメートレンズ３８と、立上げミラー３９と、対物レンズ４２とを含んで構成される。回折素子１６を出射方向一方Ｚ１に向けて透過した光は、コリメートレンズ３８に入射する。コリメートレンズ３８に入射した光源１４からの光は、コリメートレンズ３８で屈折することによって平行光となる。その後立上げミラー３９に入射し、立上げミラー３９で反射することによって進行方向が変更される。その後対物レンズ４２に入射する。対物レンズ４２に入射した光は、対物レンズ４２で集光され、記録媒体１２の記録面１３上にスポットとして照射される。このように、光源１４で出射されてから記録媒体１２の記録面１３に到達するまでの行きの光線束を「往路光」４４と称する。
【００２８】
記録媒体１２の記録面１３上に照射された光は、記録媒体１２によって反射され、回折素子１６まで往路光４４が経由した経路と同じ経路を逆に経由して戻ってくる。記録媒体１２によって反射された後の戻りの光線束を「復路光」４６と称する。図１に示すように、出射方向他方Ｚ２に進行しながら回折素子１６に到達した光は、回折素子１６で回折し、複数の向きに進行する。回折素子１６で回折することによって複数の進行方向に分裂した復路光４６は、筐体の内部空間に進行する。複数の進行方向に分裂した復路光４６のうちの一部は、光源１４よりも垂直方向一方Ｘ１に配置される受光素子１７の受光面４７に入射する。受光素子１７に入射する光は、回折素子１６から受光素子１７の受光面４７に到達するまでに、筐体および筐体内の部材によって遮られることなく、到達する。
【００２９】
回折素子１６で回折した後の復路光４６のうち、直接、受光素子１７に入射する光を除く残余の光の他の一部は、回折素子支持部３６の一部として形成される反射鏡１８の反射面１９に入射する。反射鏡１８に入射した光は、反射面１９に反射されて受光素子１７に向かって進行し、反射鏡１８の反射面１９から受光素子１７の受光面４７に到達するまでに、筐体および筐体内の部材によって遮られることなく、受光素子１７に入射する。
【００３０】
図３は、本発明の一実施形態における受光素子１７を出射方向一方Ｚ１側から見た平面図である。受光素子１７は、１つ設けられる。すなわち、筐体内に１つである。受光素子１７には、受光面４７が形成され、受光面４７には複数の受光領域４８が形成される。各受光領域４８は、受光した光の光強度に応じた信号を出力し、各受光領域４８から出力された信号は、光ピックアップ装置１１外の制御部に入力される。各受光領域４８から出力され制御部に入力された信号は、各受光領域４８からの信号に応じて光ピックアップのサーボ駆動の制御に用いられる。サーボ駆動を行うサーボ駆動部およびこれを制御する制御部、再生信号として取り出された信号を復号化する復号化手段などは、光ピックアップ装置１１が搭載される情報処理装置に備えられる。
【００３１】
反射面１９が反射した光と、回折素子１６で回折して受光素子１７に直接入射した光とは、ともに再生信号の算出に用いられる。受光素子１７の各受光領域４８から出力される信号は、全て合計されることによって再生信号として利用される。この再生信号は、記録媒体１２に記録された情報に対応し、再生信号を復号化することによって、記録媒体１２に記録された情報が再生される。
【００３２】
回折素子１６には、複数の回折領域が形成され、各回折領域で回折した復路光４６は、予め定める受光領域４８に入射する。各回折領域に入射した光は、進行方向の異なる＋１次光４９と−１次光５１とを含む複数の光線束に分裂する。＋１次光４９は、受光素子１７の受光面４７に直接到達し、−１次光５１は、反射面１９に反射された後、受光素子１７の受光面４７に入射する。受光素子１７には、＋１次光４９が入射する複数の受光領域４８と−１次光５１が入射する複数の受光領域４８とが形成される。回折素子１６で回折し、＋１次光４９として受光素子１７に向かう光であっても、回折領域が異なれば、入射する受光領域４８は異なることがある。いずれの回折領域で回折した光がいずれの受光領域４８に入射するかは、１対１に対応しなくてもよいけれども、予め定められる。
【００３３】
回折素子１６で回折し、−１次光５１として反射面１９で反射されてから受光素子１７に向かう光であっても、回折領域が異なれば、入射する受光領域４８は異なることがある。いずれの回折領域で回折した光がいずれの受光領域４８に入射するかは、１対１に対応しなくてもよいけれども、予め定められる。
【００３４】
回折素子１６は、偏光ホログラムを有する。回折素子１６に入射した光は、具体的には偏光ホログラムで回折し、予め定める向きに進行する。＋１次光４９について、回折した後の復路光４６がいずれの受光領域４８に入射するかについての設定は、受光領域４８の位置および偏光ホログラムの設計によって設定される。−１次光５１について、回折し、反射した後の復路光４６がいずれの受光領域４８に入射するかについての設定は、受光領域４８の位置、反射鏡１８の反射面１９の姿勢、および偏光ホログラムの設計によって設定される。回折素子１６は、その少なくとも一部が偏光ホログラムによって実現されるので、回折素子１６に到達する光について高い利用効率を確保しながら、回折の向きなどについて、高い自由度で設計を行うことができる。
【００３５】
図１には、＋１次光４９が図１の右方寄りに、−１次光５１が図１の左方寄りに進行するものとして回折した後の復路光４６の進行方向を図示している。＋１次光４９は、半導体レーザ素子よりも垂直方向一方Ｘ１に向かって進行し、受光面４７に入射する。−１次光５１は、半導体レーザ素子よりも垂直方向他方Ｘ２に向かって進行し、反射面１９に入射する。反射面１９は、本実施形態では直交方向Ｙに延びる仮想直線を含み、傾斜した一平面状の面として形成されており、出射方向他方Ｚ２に向かうにつれて垂直方向一方Ｘ１に向かう。反射面１９が出射方向Ｚと成す角度は、１度以上１０度以下で、予め定められる。
【００３６】
図４は、本発明における第１比較例の半導体レーザ装置１０の断面図である。第１比較例において、反射面１９は、本実施形態と同様の向きに傾斜しているけれども、反射面１９と出射方向Ｚに延びる直線とが成す角度は、１０度よりも大きく設定されている。第１比較例においては、回折素子１６で回折した後の光が反射面１９で反射した後、受光面４７に入射せず、受光素子１７ではないその他の部材に到達してしまう。また第１比較例では、半導体レーザ素子から発せられた光の一部が回折素子支持部３６に照射されてしまう。したがって、反射面１９と出射方向Ｚとが成す角度は、１０度以下であることが好ましい。本実施形態において反射面１９と出射方向Ｚとが成す角度を１０度以下に設定することによって、第１比較例に示したことを防止することができる。
【００３７】
図５は、本発明における第２比較例の半導体レーザ装置１０の断面図である。第１比較例において、反射面１９は、本実施形態とは異なり、反射面１９は、出射方向Ｚに延びる直線と直交方向Ｙに延びる直線とを含む姿勢に形成される。したがって、出射方向Ｚと反射面１９とは互いに平行である。この場合、受光素子１７は半導体レーザ素子よりも垂直方向一方Ｘ１に配置されるので、回折素子１６よりも垂直方向一方Ｘ１寄りに位置する。これによって、回折素子１６で回折し反射鏡１８で反射した光は、受光素子１７よりも垂直方向他方Ｘ２に入射しやすくなる。したがって、反射面１９と出射方向Ｚとが成す角度は、１度以上であることが好ましい。本実施形態において反射面１９と出射方向Ｚとが成す角度を１度以上に設定することによって、反射後の光が受光素子１７よりも垂直方向他方Ｘ２に照射されてしまうことを防止することができる。
【００３８】
反射鏡１８の反射面１９は、薄膜が積層されることによって形成される。反射鏡１８の反射面１９は、光源１４から発せられる光の波長と同じ波長の光に対して、他の波長の光に対する反射率以上の反射率を有する。換言すれば、反射面１９は、半導体レーザ素子から発せられる光の波長に対して最も反射率が高く設定されており、予め定める光源１４の種類に応じて最適化された反射率を有する。反射鏡１８の反射面１９は、薄膜が積層されることによって形成されるので、このような最適化を、容易に行うことができる。本実施形態において読取りの対象とする記録媒体１２はブルーレイディスクであり、半導体レーザ素子は、ブルーレイディスクに対応して４０５ｎｍ付近の波長の光を発するので、反射鏡１８の反射面１９は、４０５ｎｍ付近の光に対して反射率が大きく設定される。
【００３９】
本実施形態によれば、反射鏡１８には、反射面１９が形成され、反射面１９は、回折素子１６で回折した光のうち一部を反射する。反射鏡１８は、反射面１９で反射した光を受光素子１７に入射させる。回折素子１６で回折した光のうち他の一部は、受光素子１７に直接入射する。これによって、受光素子１７は、回折素子１６で回折した光のうちのほとんど全てを受光することができる。回折素子１６で回折した光は、＋１次光４９と−１次光５１とに分割される。回折素子１６で回折した光のうち、一部は反射鏡１８の反射面１９で反射されるので、＋１次光４９および−１次光５１のいずれか一方を反射鏡１８の反射面１９で反射することができる。
【００４０】
回折素子１６で回折した光のうち、反射面１９で反射した光も、また他の一部の光も、受光素子１７に入射するので、回折素子１６で回折した±１次光の両方を受光素子１７で受光することができる。したがって、±１次光の両方を情報の読取りに利用することができる。これによって、±１次光のいずれか一方のみを受光素子１７で受光する場合に比べて、信号対雑音比を向上することができる。
【００４１】
また、回折素子１６で回折した光のうちほとんど全ての光を信号の読取りに利用するので、迷光の発生を低減することができる。さらに反射鏡１８は、反射面１９で反射した光を受光素子１７に入射させるので、回折素子１６で回折した光は、直接かまたは反射面１９による１度の反射によって受光素子１７に入射する。したがって、受光素子１７に入射させる光を複数回の反射によって受光素子１７に導く場合に比べて、半導体レーザ装置１０を小形化することができる。
【００４２】
また本実施形態によれば、半導体レーザ装置１０は、筐体をさらに含む。筐体は、光源１４および受光素子１７を収容し、光源１４および受光素子に対して相対位置が固定され、かつ回折素子１６を支持する。反射面１９は、筐体の内壁の一部に形成される。これによって、反射面１９を、筐体とは別個に形成する必要がない。したがって、筐体と反射鏡１８とが別個に形成される場合に比べて、半導体レーザ装置１０を小形化することができる。また反射鏡１８およびこれを支持するための部材が複雑化することを防止することができる。したがって、光源１４からの光および回折素子１６で回折した光がいずれかの部材によって遮られることを防止することができる。したがって、迷光の発生をも抑制することができる。
【００４３】
また本実施形態によれば、反射鏡１８の反射面１９と、光源１４から発せられる光の出射方向Ｚとは、１度以上１０度以下の角度を成す。これによって、光源１４から発せられ、記録媒体１２に向かう往路光４４の進行を、反射鏡１８が妨げることを防止することができる。したがって、往路光４４の進行が反射鏡１８によって妨げられることによる迷光の発生を防止することができる。これによって、往路光４４の進行が反射鏡１８によって妨げられる場合よりも、光源１４から発せられた光のうちの大きな割合の光を、記録媒体１２の情報の読取りに利用することができる。したがって、信号対雑音比の悪化を防止することができる。
【００４４】
また本実施形態によれば、反射鏡１８の反射面１９は、薄膜が積層されることによって形成される。これによって、反射率が最大となる波長を、光源１４からの光の波長および記録媒体１２の種類に応じて設定することが可能となる。したがって、光源１４および記録媒体１２の種類に応じた反射鏡１８を設計することができる。
【００４５】
また本実施形態によれば、反射鏡１８の反射面１９は、光源１４から発せられる光の波長と同じ波長の光に対して、他の波長の光に対する反射率以上の反射率を有する。これによって、予め定められた種類の記録媒体１２からの復路光４６を、効率よく情報の読取りに利用することができる。
【００４６】
また本実施形態によれば、反射面１９が反射した光と、回折素子１６で回折して受光素子１７に直接入射した光とは、ともに再生信号の算出に用いられる。これによって、記録媒体１２からの復路光４６を、効率よく情報の読取りに利用することができる。したがって、信号対雑音比の悪化を防止することができる。
【００４７】
また本実施形態によれば、受光素子１７は、１つ設けられる。これによって、回折素子１６および反射鏡１８と受光素子１７との位置決めを、容易にすることができる。
【００４８】
また本実施形態によれば、光ピックアップ装置１１は、前記半導体レーザ装置１０を備える。これによって、回折素子１６で回折した±１次光の両方を、再生信号の算出に利用することができる。したがって、＋１次光４９および−１次光５１のいずれか一方のみを受光素子１７で受光する場合に比べて、信号対雑音比を向上することができる。また回折素子１６で回折した光のうちほとんど全ての光を信号の読取りに利用するので、迷光の発生を低減することができる。
【００４９】
情報処理装置は、半導体レーザ装置１０を備える。これによって、回折素子１６で回折した光のほとんど全ての光を、情報の読取りに利用することができる。したがって、信号対雑音比の高い情報処理装置を実現することができる。これによって、高い精度で記録媒体１２の情報を読取ることができる。
【００５０】
（変形例）
本実施形態において回折素子１６で回折した光のうち＋１次光４９は、直接、受光素子１７に入射し、−１次光５１は、反射鏡１８で反射した後に受光素子１７に入射するものとしたけれども、反射鏡１８は、回折素子１６で回折した後、直接、受光素子１７に入射する光の方向とは角度を成す向きに進行する光の一部を反射するならば、足りる。他の実施形態においてたとえば、−１次光５１が直接、受光素子１７に入射し、−１次光５１が反射鏡１８による反射を経て受光素子１７に入射する構成としてもよい。
【００５１】
また本実施形態において反射鏡１８の反射面１９は、一平面を成して形成されるけれども、反射鏡１８で反射する光は、受光素子１７に入射するならば、足りる。他の実施形態においてたとえば、反射鏡１８には、複数の角度を有する反射面１９が形成されていてもよい。回折素子１６で回折した光の進行の向きと、反射面１９の形状および姿勢と、受光素子１７が配置される位置とを設定することによって、反射面１９で反射した光が受光素子１７の予め定める受光領域４８に入射する構成であればよい。
【図面の簡単な説明】
【００５２】
【図１】本発明の一実施形態に係る半導体レーザ装置１０の断面図である。
【図２】本発明の一実施形態に係る光ピックアップ装置１１の構成を表す図である。
【図３】本発明の一実施形態における受光素子１７を出射方向一方Ｚ１側から見た平面図である。
【図４】本発明における第１比較例の半導体レーザ装置１０の断面図である。
【図５】本発明における第２比較例の半導体レーザ装置１０の断面図である。
【図６】第１の従来技術に係る半導体レーザ装置１の断面図である。
【図７】第２の従来技術に係る光ピックアップ装置である光学デバイス４の構成を表す図である。
【符号の説明】
【００５３】
１０  半導体レーザ装置
１１  光ピックアップ装置
１２  記録媒体
１３  記録面
１４  光源
１６  回折素子
１７  受光素子
１８  反射鏡
１９  反射面
４４  往路光
４６  復路光
４８  受光領域
４９  ＋１次光
５１  −１次光
【図１】
2010134976.tif 000003
【図２】
2010134976.tif 000004
【図３】
2010134976.tif 000005
【図４】
2010134976.tif 000006
【図５】
2010134976.tif 000007
【図６】
2010134976.tif 000008
【図７】
2010134976.tif 000009